(57)【特許請求の範囲】
【請求項１】
目地部を介して設けられた左右の建物の、一方の建物の目地部側の天井部の躯体にヒンジ部材を介して先端部が上方向に回動可能に取付けられた前記目地部を覆う目地カバーと、前記ヒンジ部材の上部の天井部の躯体に後端部が枢支され、先端部が上方へ傾斜状態で配置される支持アーム、一端部が一方の建物の目地部側の天井部の躯体にスライド移動可能に当接し、他端部が他方の建物の目地部側の天井部の躯体にスライド移動可能に当接する、該他端部側寄りの部位に前記支持アームの先端部が枢支された作動アーム、この作動アームの一方の建物寄りの部位に一端部が取付けられ、他端部が前記目地カバーの遊端部寄りの部位に取付けられた目地カバー支持紐とからなる目地カバー作動機構とを備えることを特徴とする天井用目地カバー装置。
【請求項２】
目地部を介して設けられた左右の建物の、一方の建物の目地部側の天井部の躯体にヒンジ部材を介して先端部が上方向に回動可能に取付けられた前記目地部を覆う目地カバーと、前記ヒンジ部材の上部の天井部の躯体に後端部が枢支され、先端部が上方へ傾斜状態で配置される支持アーム、一端部が一方の建物の目地部側の天井部の躯体にスライド移動可能に当接し、他端部が他方の建物の目地部側の天井部の躯体にスライド移動可能に当接する、該他端部側寄りの部位に前記支持アームの先端部が枢支された作動アーム、この作動アームの一方の建物寄りの部位に一端部が取付けられ、他端部が前記目地カバーの遊端部寄りの部位に取付けられた目地カバー支持紐、前記目地カバーの先端部が水平より下方へ下がるのを阻止できるように、前記支持アームの所定量以上の回動を阻止する回動阻止部材とからなる目地カバー作動機構とを備えることを特徴とする天井用目地カバー装置。
【発明の詳細な説明】
【０００１】
【発明の属する技術分野】
本発明は目地部を介して設けられた免震ビル等の左右の建物間の天井部分の目地部を覆う天井用目地カバー装置に関する。
【０００２】
【従来の技術】
従来、左右の建物間の目地部を覆う天井用目地カバー装置は種々考えられているが、目地カバーが目地部の寸法よりも大きなものを用い、該目地カバーの一端部を一方の建物の天井部の躯体上をスライド移動可能に取付けている。
【０００３】
【発明が解決しようとする課題】
従来の天井用目地カバー装置は目地カバーが目地部の寸法よりも大きくなるため、見苦しくなるという欠点があった。
この欠点を解消するために、目地部内に目地カバーを取付けた場合、地震等によって目地部が狭くなるように揺れ動いた場合には、目地カバーを損傷させることなく確実に移動させることができないという欠点があった。
【０００４】
本発明は以上のような従来の欠点に鑑み、目地部の寸法よりも大きくない目地カバーを用いて、左右の建物が地震等によって目地部が狭くなるように揺れ動いた場合には目地カバーを損傷させることなく確実に回動させて、その揺れ動きを吸収することができる天井用目地カバー装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して設けられた左右の建物の、一方の建物の目地部側の天井部の躯体にヒンジ部材を介して先端部が上方向に回動可能に取付けられた前記目地部を覆う目地カバーと、前記ヒンジ部材の上部の天井部の躯体に後端部が枢支され、先端部が上方へ傾斜状態で配置される支持アーム、一端部が一方の建物の目地部側の天井部の躯体にスライド移動可能に当接し、他端部が他方の建物の目地部側の天井部の躯体にスライド移動可能に当接する、該他端部側寄りの部位に前記支持アームの先端部が枢支された作動アーム、この作動アームの一方の建物寄りの部位に一端部が取付けられ、他端部が前記目地カバーの遊端部寄りの部位に取付けられた目地カバー支持紐とからなる目地カバー作動機構とで天井用目地カバー装置を構成している。
【０００７】
【発明の実施の形態】
以下、図面に示す実施の形態により、本発明を詳細に説明する。
【０００８】
図１ないし図７に示す本発明の第１の実施の形態において、１は目地部２を介して設けられた左右の建物３、３間の天井目地部２を覆う本発明の天井用目地カバー装置で、この天井用目地カバー装置１は前記左右の建物３、３の一方の建物３の目地部側の天井部の躯体３ａにヒンジ部材４を介してほぼ水平状態から先端部が上方向に回動可能に取付けられた前記目地部２を覆う目地カバー５と、この目地カバー５を地震等によって、前記目地部２が狭くなるように揺れ動いた場合に、目地カバー５を損傷することなく遊端部を上方へ回動させる、少なくとも１個以上、本発明の実施の形態では２個の目地カバー作動機構６、６と、前記目地カバー５の遊端部を覆うように前記他方の建物３の目地部側の躯体３ａの端部に固定されたカバー板７とで構成されている。
【０００９】
前記目地カバー５はアルミ、アルミ合金、ステンレス、ステンレス合金等の金属板の端部を、図４に示すようにほぼ直角に折り曲げた浅皿状に形成されたものが使用され、一側壁５ａに所定間隔で取付けられたヒンジ部材４によって、一方の建物３の目地部側の天井部の躯体３ａに取付けられるようになっている。
【００１０】
前記目地カバー作動機構６は、前記目地カバー５を取付けるヒンジ部材４の上部の天井部の躯体３ａに後端部が枢支金具８で枢支され、先端部が上方へ傾斜状態で配置される支持アーム９と、一端部が一方の建物３の目地部側の天井部の躯体３ａにスライド移動可能に当接し、他端部が他方の建物３の目地部側の天井部の躯体３ａにスライド移動可能に当接する、該他端部寄りの部位に前記支持アーム９の先端部が枢支ピン１０によって枢支された作動アーム１１と、この作動アーム１１の一方の建物３寄りの部位に一端部が取付けられ、他端部が前記目地カバー５の遊端部寄りの部位に取付けられたワイヤー、ロープ、鎖等の目地カバー支持紐１２と、前記目地カバー５の先端部が水平より下方へ下がるのを阻止できるように、前記支持アーム９の所定量以上の回動を阻止する、一端が支持アーム９のほぼ中央部寄りの部位に取付けられ、他端が一方の建物３の目地部側の天井部の躯体３ａに取付けられたワイヤー、ロープ、鎖等の回動阻止部材１３とで構成されている。
【００１１】
上記構成の天井用目地カバー装置１は通常時には図１に示すように、目地カバー５が目地カバー作動機構６、６によってほぼ水平状態で目地部２を覆う。
【００１２】
地震等によって目地部２が狭くなるように左右の建物３、３が揺れ動いた場合には、支持アーム９の先端部の枢支ピン１０を支点として作動アーム１１が、図５および図６に示すように回動する。
この時、支持アーム９の先端部の枢支ピン１０は作動アーム１１の他端部寄りの部位に取付けられているため、作動アーム１１の他端部の回動移動寸法に対し一端部の回動移動寸法が大きくなり、目地部が狭くなり、目地カバー５が左右の建物３、３の躯体３ａ、３ａに押しつぶされる前に、目地カバー５の遊端部を作動アーム１１の回動と、目地カバー支持紐１２とによって回動させ、収納することができる。
【００１３】
目地部２が広くなるように左右の建物３、３が揺れ動いた場合には、図７に示すように目地カバー５および目地カバー作動機構６、６は、目地カバー５が目地部２を覆っていた通常時の状態で他方の建物３の躯体３ａが離れていくだけで、その揺れ動きを吸収できる。
なお、地震等によって左右の建物３、３の目地部２が狭くなったり、広くなったりするような揺れ動きが停止した場合には、自動的に元の状態に戻る。
【００１４】
【発明の異なる実施の形態】
次に、図８ないし図１３に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図８ないし図１０に示す本発明の第２の実施の形態において、前記本発明の第１の実施の形態と主に異なる点は、両端部にローラー１４、１４を取付けた作動アーム１１Ａを用いるとともに、目地カバー５の遊端部を水平状態より下方へ回動しないように取付けることができる回動阻止部材としての機能を有するヒンジ部材４Ａを用いて取付けた点で、このように構成した天井用目地カバー装置１Ａにしても、前記本発明の第１の実施の形態と同様な作用効果が得られる。
【００１６】
図１１ないし図１３に示す本発明の第３の実施の形態において、前記本発明の第１の実施の形態と主に異なる点は、補強フレーム１５を用いた目地カバー５Ａと、２本の目地カバー支持紐１２、１２を用いた１個の目地カバー作動機構６Ａを用いた点で、このように構成した天井用目地カバー装置１Ｂにしても、前記本発明の第１の実施の形態と同様な作用効果が得られる。
【００１７】
【発明の効果】
以上の説明から明らかなように、本発明にあっては次に列挙する効果が得られる。
【００１８】
（１）目地部を介して設けられた左右の建物の、一方の建物の目地部側の天井部の躯体にヒンジ部材を介して先端部が上方向に回動可能に取付けられた前記目地部を覆う目地カバーと、前記ヒンジ部材の上部の天井部の躯体に後端部が枢支され、先端部が上方へ傾斜状態で配置される支持アーム、一端部が一方の建物の目地部側の天井部の躯体にスライド移動可能に当接し、他端部が他方の建物の目地部側の天井部の躯体にスライド移動可能に当接する、該他端部側寄りの部位に前記支持アームの先端部が枢支された作動アーム、この作動アームの一方の建物寄りの部位に一端部が取付けられ、他端部が前記目地カバーの遊端部寄りの部位に取付けられた目地カバー支持紐とからなる目地カバー作動機構とで構成されているので、目地部の寸法よりも小さな目地カバーを用いて目地部を覆うことができる。
したがって、小型コンパクトで、見苦しくなったりするのを効率よく防止することができる。
【００１９】
（２）前記（１）によって、目地部が狭くなる寸法よりも大きな寸法で目地カバーの遊端部を回動させることができる。
したがって、目地カバーが左右の建物の躯体に押しつぶされることなく回動収納でき、損傷を確実に阻止することができる。
【００２０】
（３）前記（１）によって、構造が簡単であるので、容易に実施することができる。
【００２１】
（４）請求項２も前記（１）〜（３）と同様な効果が得られる。
【図面の簡単な説明】
【図１】本発明の第１の実施の形態の側面図。
【図２】本発明の第１の実施の形態の平面図。
【図３】本発明の第１の実施の形態の底面図。
【図４】本発明の第１の実施の形態の目地カバーの説明図。
【図５】本発明の第１の実施の形態の目地部が狭くなり始めの動作説明図。
【図６】本発明の第１の実施の形態の目地部が狭くなった動作説明図。
【図７】本発明の第１の実施の形態の目地部が広くなった動作説明図。
【図８】本発明の第２の実施の形態の側面図。
【図９】本発明の第２の実施の形態の平面図。
【図１０】本発明の第２の実施の形態の底面図。
【図１１】本発明の第３の実施の形態の側面図。
【図１２】本発明の第３の実施の形態の平面図。
【図１３】本発明の第３の実施の形態の目地カバーの説明図。
【符号の説明】
１、１Ａ、１Ｂ：天井用目地カバー装置、
２：目地部、            ３：建物、
４、４Ａ：ヒンジ部材、  ５、５Ａ：目地カバー、
６、６Ａ：目地カバー作動機構、
７：カバー板、          ８：枢支金具、
９：支持アーム、        １０：枢支ピン、
１１、１１Ａ：作動アーム、
１２：目地カバー支持紐、１３：回動阻止部材、
１４：ローラー、        １５：補強フレーム。
【図１】
0003604647.tif 000002
【図２】
0003604647.tif 000003
【図３】
0003604647.tif 000004
【図４】
0003604647.tif 000005
【図５】
0003604647.tif 000006
【図６】
0003604647.tif 000007
【図７】
0003604647.tif 000008
【図８】
0003604647.tif 000009
【図９】
0003604647.tif 000010
【図１０】
0003604647.tif 000011
【図１１】
0003604647.tif 000012
【図１２】
0003604647.tif 000013
【図１３】
0003604647.tif 000014